(57)【要約】【課題】異常が生じた現用系によって起こりうる強発光による、光通信システムへの影響を小さくするための技術を提供する。【解決手段】局側装置（ＯＬＴ）は、光信号を送信する光トランシーバ（３５）を各々有する現用ＯＳＵ（１２−１）および予備ＯＳＵ（１２−Ｎ＋１）と、光トランシーバ（３５）からの光信号を伝搬する光回線の接続先を現用ＯＳＵおよび予備ＯＳＵの間で切換えるための光スイッチ（１１ａ）とを備える。ＯＬＴ制御部（１４）は、現用ＯＳＵの異常を検出して、現用ＯＳＵの光トランシーバ（３５）の電源停止を指示する。さらにＯＬＴ制御部（１４）は、現用ＯＳＵ（１２−１）に記憶された情報を読出して、その読出された情報に基づいて予備ＯＳＵを動作させる。【選択図】図４
2014068213.tif 000002
【特許請求の範囲】
【請求項１】
光信号送信部を各々有する現用光回線ユニットおよび予備光回線ユニットと、前記光信号送信部からの光信号を伝搬する光回線の接続元を前記現用光回線ユニットおよび前記予備光回線ユニットの間で切換えるための光スイッチとを備える局側装置の制御方法であって、
前記現用光回線ユニットの異常を検出するステップと、
前記現用光回線ユニットの前記異常の検出により、前記現用光回線ユニットの前記光信号送信部の電源停止を指示するステップと、
前記現用光回線ユニットから、前記現用光回線ユニットが保持する情報を読出すステップと、
前記光スイッチにより、前記光回線の前記接続元を前記現用光回線ユニットから前記予備光回線ユニットへと切換えるステップと、
前記予備光回線ユニットを、前記現用光回線ユニットから読出された前記情報に従って動作させるステップとを備える、局側装置の制御方法。
【請求項２】
前記現用光回線ユニットの前記光信号送信部の電源停止を指示するステップの後に、前記現用光回線ユニットへの電源供給を停止するステップをさらに備える、請求項１に記載の局側装置の制御方法。
【請求項３】
前記現用光回線ユニットが正常であるときに、前記情報を前記現用光回線ユニットから読出すステップをさらに備える、請求項１または２に記載の局側装置の制御方法。
【請求項４】
光信号送信部を各々有する現用光回線ユニットおよび予備光回線ユニットと、
前記光信号送信部からの光信号を伝搬する光回線の接続元を、前記現用光回線ユニットおよび前記予備光回線ユニットの間で切換えるための光スイッチと、
前記現用光回線ユニットの異常を検出する異常検出部と、
前記異常検出部が前記現用光回線ユニットの異常を検出した場合に、前記現用光回線ユニットの前記光信号送信部の電源停止を指示する停止指示部と、
前記光スイッチを制御して、前記現用光回線ユニットから前記予備光回線ユニットに前記光回線の接続元を切り換える切換部と、
前記現用光回線ユニットに記憶された情報を読出して、前記予備光回線ユニットを、前記現用光回線ユニットから読出した前記情報に従って動作させる制御部とを備える、局側装置。
【請求項５】
前記現用光回線ユニットの前記光信号送信部の電源停止が指示された後に、前記現用光回線ユニットへの電源供給を停止する電源停止部をさらに備える、請求項４に記載の局側装置。
【請求項６】
局側装置と、
前記局側装置に受動的光ネットワークを通じて接続され、前記局側装置からの光信号を受ける受光素子を含む宅側装置とを備え、
前記宅側装置の前記受光素子は、強発光の光信号により損傷しうる受光素子であり、
前記局側装置は、
光信号送信部を各々有する現用光回線ユニットおよび予備光回線ユニットと、
前記光信号送信部からの前記光信号を伝搬する光回線の接続元を、前記現用光回線ユニットおよび前記予備光回線ユニットの間で切換えるための光スイッチと、
前記現用光回線ユニットの異常を検出する異常検出部と、
前記異常検出部が前記現用光回線ユニットの異常を検出した場合に、前記現用光回線ユニットの前記光信号送信部の電源停止を指示する停止指示部と、
前記光スイッチを制御して、前記現用光回線ユニットから前記予備光回線ユニットに前記光回線の接続元を切り換える切換部と、
前記現用光回線ユニットに記憶された情報を読出して、前記予備光回線ユニットを、前記現用光回線ユニットから読出した前記情報に従って動作させる制御部とを含む、光通信システム。
【発明の詳細な説明】
【技術分野】
【０００１】
本発明は、光通信システムが有する局側装置の制御方法、その局側装置、および、局側装置と宅側装置とを備える光通信システムに関する。
【背景技術】
【０００２】
各家庭までのネットワークアクセスサービスを光ファイバによって提供するＦＴＴＨ（Fiber To The Home）を実現する形態の１つにＰＯＮ（Passive Optical Network）がある。今日では、ＥＰＯＮが、広く利用される。ＥＰＯＮとはイーサネット（登録商標）技術を適用したＰＯＮである。
【０００３】
ＰＯＮの特長は、光アクセスサービスを低コストで提供できることである。ＰＯＮでは、家庭等に設置される宅側装置（ＯＮＵ（Optical Network Unit））と、電話局等に設置される局側装置（ＯＬＴ（Optical Line Terminal））とが、それらの間を結ぶ光ファイバの一部を共有して通信する。具体的には、ＰＯＮでは、光スプリッタを介して、１つのＯＬＴと複数のＯＮＵとが光ファイバで接続される。光スプリッタは、外部からの電源供給を特に必要とすることなく、入力された信号から受動的に信号を分岐または多重する。
【０００４】
通信サービスの信頼性等の観点から、システムの二重化（冗長化）が提案されている。二重化システムでは、装置、部品およびネットワークの各々が必要に応じて運用系および待機系を有する冗長構成が採用される。運用しているシステムの一部に障害が発生した場合には、運用系から待機系への切換が実行される。これにより、障害によるシステム停止時間をできるだけ短くすることができる。冗長化された通信システムが、たとえば特開平７−２２６７９６号公報（特許文献１）、特開２０００−３３２８５７号公報（特許文献２）および特開２００８−７２３７０号公報（特許文献３）に開示されている。
【先行技術文献】
【特許文献】
【０００５】
【特許文献１】特開平７−２２６７９６号公報
【特許文献２】特開２０００−３３２８５７号公報
【特許文献３】特開２００８−７２３７０号公報
【発明の概要】
【発明が解決しようとする課題】
【０００６】
宅側装置は局側装置から光信号を受信する。通常では、宅側装置が受信する光信号は弱い。このため宅側装置では、たとえばＡＰＤ（アバランシェフォトダイオード）といった、高い感度を有する受光素子が光信号の受信に用いられる。
【０００７】
一方、局側装置に異常が発生した場合、たとえば光信号を送信するための発光素子の制御が不能になる可能性が生じる。この場合、発光素子から発せられる光の強度を制御することが不能となる。したがって発光素子から強い光が発せられる可能性がある。局側装置の異常時に、発光素子が通常時の光よりも強い光を発することを、以下では「強発光」と呼ぶ。
【０００８】
感度の高い受光素子に強い光が入射した場合、その受光素子が損傷する確率が高くなる。あるいは、局側装置と宅側装置との間の回線が一時的に切断される可能性が考えられる。しかしながら、局側装置に異常が発生した際に強発光が生じうることは、上記の特許文献１〜３のいずれにも具体的に説明されていない。
【０００９】
たとえば特許文献１は、単に、異常の生じた現用系の光回線を予備系の光回線に切換えるということしか開示していない。
【００１０】
また、特許文献２によれば、現用系インターフェース盤に異常が生じた場合には、まず、そのインターフェース盤の動作を停止させる。次に、光伝送路を、異常が生じたインターフェース盤から予備系のインターフェース盤に切り換える。しかしながら現用系インターフェース盤を停止させるために、そのインターフェース盤が保持する制御情報を予備系のインターフェース盤が引き継ぐことができない。したがって、予備系のインターフェース盤は、すべての現用系インターフェース盤が有する制御情報と同じ制御情報を有するように構成される。予備系のインターフェース盤の構成を現用系インターフェース盤の構成と異ならせる必要があるため、構成が複雑となる。
【００１１】
なお、特許文献２では、異常が生じたインターフェース盤から予備系のインターフェース盤に制御情報を転送する方法も開示されている。この方法によれば、予備系インターフェース盤の構成を現用系インターフェース盤の構成と同じにすることができる。しかしながら、この場合には、制御情報の転送が完了するまで現用系インターフェース盤を停止することができない。現用系インターフェース盤の異常によって強発光が生じている場合には、強発光の時間が長くなる。したがって、宅側装置あるいは光回線への影響が大きくなる可能性がある。
【００１２】
また、特許文献３によれば、現用ＯＬＴの異常時に、光スイッチおよび電気スイッチの接続先が、その現用ＯＬＴから予備ＯＬＴへと切換えられる。制御装置は、予備ＯＬＴから移行完了通知を受けるまでは、現用ＯＬＴを停止させない。したがって、現用ＯＬＴの異常によって強発光が生じている場合には、強発光の時間が長くなる可能性がある。
【００１３】
上記のように、冗長構成を有する従来の局側装置では、異常が生じた現用系によって起こりうる強発光が光通信システムに及ぼす影響について何ら考慮されていなかった。したがって、特許文献１〜３には、強発光の影響をできるだけ小さくしながら現用系の光回線を予備系の光回線に切換えるための方法が開示されていない。
【００１４】
本発明の目的は、異常が生じた現用系によって起こりうる強発光による、光通信システムへの影響を小さくするための技術を提供することである。
【課題を解決するための手段】
【００１５】
本発明のある局面によれば、光信号送信部を各々有する現用光回線ユニットおよび予備光回線ユニットと、光信号送信部からの光信号を伝搬する光回線の接続元を現用光回線ユニットおよび予備光回線ユニットの間で切換えるための光スイッチとを備える局側装置の制御方法であって、現用光回線ユニットの異常を検出するステップと、現用光回線ユニットの異常の検出により、現用光回線ユニットの光信号送信部の電源停止を指示するステップと、現用光回線ユニットから、現用光回線ユニットが保持する情報を読出すステップと、光スイッチにより、光回線の接続元を現用光回線ユニットから予備光回線ユニットへと切換えるステップと、予備光回線ユニットを、現用光回線ユニットから読出された情報に従って動作させるステップとを備える。
【００１６】
この構成によれば、異常が生じた現用系によって起こりうる強発光による、光通信システムへの影響を小さくすることができる。現用光回線ユニットの異常時には光信号送信部の制御が不能になっている可能性がある。現用光回線ユニットの異常時に、光信号送信部の電源供給の停止が指示されることにより、強発光が生じる可能性を小さくすることができる。したがって、たとえば光信号送信部からの光信号を受ける宅側装置への影響を小さくすることができる。１つの例として、宅側装置が備える受光素子が損傷する確率を小さくすることができる。
【００１７】
さらに現用光回線ユニットに記憶されている情報が読出される。これにより、現用光回線ユニットに記憶された情報が失われることを防ぐことができる。現用光回線ユニットから読出された情報に従って、予備光回線ユニットが動作する。これにより、たとえば局側装置と宅側装置との間の通信が途絶えることを回避しつつ、現用光回線ユニットから予備光回線ユニットへの切換えが可能になる。
【００１８】
好ましくは、局側装置の制御方法は、現用光回線ユニットの光信号送信部の電源停止を指示するステップの後に、現用光回線ユニットの電源供給を停止するステップをさらに備える。
【００１９】
この構成によれば、現用光回線ユニットの光信号送信部の光出力をより確実に停止させることができる。
【００２０】
好ましくは、局側装置の制御方法は、現用光回線ユニットが正常であるときに、情報を現用光回線ユニットから読出すステップをさらに備える。
【００２１】
この構成によれば、現用光回線ユニットが異常になる前に、現用光回線ユニットから予め情報が読出される。現用光回線ユニットの異常時において、現用光回線ユニットからの情報の読出しが成功しない可能性がある。また、光信号送信部の光出力の停止を優先させるために、現用光回線ユニットから情報を読出す途中、あるいは現用光回線ユニットから情報を読出す前に現用光回線ユニットの電源供給を停止することも起こり得る。このような場合であっても、現用光回線ユニットから予め読出された情報に基づいて予備光回線ユニットを動作させることができる。
【００２２】
本発明の別の局面によれば、局側装置は、光信号送信部を各々有する現用光回線ユニットおよび予備光回線ユニットと、光信号送信部からの光信号を伝搬する光回線の接続元を、現用光回線ユニットおよび予備光回線ユニットの間で切換えるための光スイッチと、現用光回線ユニットの異常を検出する異常検出部と、異常検出部が現用光回線ユニットの異常を検出した場合に、現用光回線ユニットの光信号送信部の電源停止を指示する停止指示部と、光スイッチを制御して、現用光回線ユニットから予備光回線ユニットに光回線の接続元を切り換える切換部と、現用光回線ユニットに記憶された情報を読出して、予備光回線ユニットを、現用光回線ユニットから読出した情報に従って動作させる制御部とを備える。
【００２３】
この構成によれば、異常が生じた現用系によって起こりうる強発光による、光通信システムへの影響を小さくすることができる。
【００２４】
さらに現用光回線ユニットに記憶されている情報が読出される。これにより、現用光回線ユニットに記憶された情報が失われることを防ぐことができる。現用光回線ユニットから読出された情報に従って、予備光回線ユニットが動作する。これにより、たとえば局側装置と宅側装置との間の通信が途絶えることを回避しつつ、現用光回線ユニットから予備光回線ユニットへの切換えが可能になる。
【００２５】
好ましくは、局側装置は、現用光回線ユニットの光信号送信部の電源停止が指示された後に、現用光回線ユニットの電源を停止する電源停止部をさらに備える。
【００２６】
この構成によれば、現用光回線ユニットの光信号送信部の光出力をより確実に停止させることができる。
【００２７】
本発明のさらに別の局面によれば、光通信システムは、局側装置と、局側装置に受動的光ネットワークを通じて接続され、局側装置からの光信号を受ける受光素子を含む宅側装置とを備える。宅側装置の受光素子は、強発光の光信号により損傷しうる受光素子である。局側装置は、光信号送信部を各々有する現用光回線ユニットおよび予備光回線ユニットと、光信号送信部からの光信号を伝搬する光回線の接続元を、現用光回線ユニットおよび予備光回線ユニットの間で切換えるための光スイッチと、現用光回線ユニットの異常を検出する異常検出部と、異常検出部が現用光回線ユニットの異常を検出した場合に、現用光回線ユニットの光信号送信部の電源停止を指示する停止指示部と、光スイッチを制御して、現用光回線ユニットから予備光回線ユニットに光回線の接続元を切り換える切換部と、現用光回線ユニットに記憶された情報を読出して、予備光回線ユニットを、現用光回線ユニットから読出した情報に従って動作させる制御部とを含む。
【００２８】
この構成によれば、異常が生じた現用系によって起こりうる強発光による、光通信システムへの影響を小さくすることができる。現用光回線ユニットの異常時に、光信号送信部の電源供給の停止が指示されることにより、強発光が生じる可能性を小さくすることができる。したがって、宅側装置が備える受光素子が損傷する確率を小さくすることができる。
【００２９】
さらに現用光回線ユニットに記憶されている情報が読出される。これにより、現用光回線ユニットに記憶された情報が失われることを防ぐことができる。現用光回線ユニットから読出された情報に従って、予備光回線ユニットが動作する。これにより、たとえば局側装置と宅側装置との間の通信が途絶えることを回避しつつ、現用光回線ユニットから予備光回線ユニットへの切換えが可能になる。
【発明の効果】
【００３０】
本発明によれば、異常が生じた現用系によって起こりうる強発光による、光通信システムへの影響を小さくすることができる。
【図面の簡単な説明】
【００３１】
【図１】本発明の第１の実施の形態に係る局側装置の概略構成を示すブロック図である。
【図２】光スイッチ１１ａの模式的な構成を示す図である。
【図３】ＯＳＵの構成例を示すブロック図である。
【図４】図１に示したＯＳＵのＯＬＴ制御部１４の構成を示した機能ブロック図である。
【図５】図３に示した光トランシーバ３５の構成例を示したブロック図である。
【図６】図１に示したＯＮＵ２の概略構成を示すブロック図である。
【図７】図６に示した、ＯＮＵ２の光トランシーバ７５の構成を示したブロック図である。
【図８】第１の実施の形態に係る、現用ＯＳＵから予備ＯＳＵへの切換処理を説明するためのフローチャートである。
【図９】図８に示したステップＳ１の処理（現用ＯＳＵのチェック）を説明するためのフローチャートである。
【図１０】図８のステップＳ３の処理（現用ＯＳＵの光出力の停止）を説明するためのフローチャートである。
【図１１】第２の実施の形態に係る、現用ＯＳＵの光出力の停止処理を説明するためのフローチャートである。
【図１２】第３の実施の形態に係る光トランシーバの構成を示したブロック図である。
【図１３】第４の実施の形態に係るＯＬＴの構成を示したブロック図である。
【図１４】第４の実施の形態に係るＯＳＵの構成を示したブロック図である。
【発明を実施するための形態】
【００３２】
以下、本発明の実施の形態について図面を用いて説明する。なお、図中同一または相当部分には同一符号を付してその説明は繰り返さない。
【００３３】
実施の形態の説明において、構成要素の説明のために「ユニット」、「回路」等の名称が便宜的に用いられる。これらの名称は、本発明の範囲を限定することを意図するものではない。
【００３４】
以下の実施の形態において「電源停止」および「電源オフ」との用語は、電源電圧の供給を停止すること、電源電圧の入力を停止することの両方を包含する。
【００３５】
以下の実施の形態において、装置の「異常」とは、装置の故障、装置の障害を含む概念である。
【００３６】
［実施の形態１］
図１は、本発明の第１の実施の形態に係る局側装置の概略構成を示すブロック図である。図１を参照して、ＰＯＮシステム１０１は、局側装置（ＯＬＴ）１ａと、Ｎ本の光回線であるＰＯＮ回線１〜Ｎ（３−１〜３−Ｎ）と、Ｎ個の光カプラ４−１〜４−Ｎと、複数の宅側装置（ＯＮＵ）２とを備える。ここで、Ｎは正の整数である。ＰＯＮ回線１〜Ｎは具体的には光ファイバである。
【００３７】
局側装置１ａは、Ｎ本のＰＯＮ回線１〜Ｎに接続されて、このＮ本のＰＯＮ回線を収容する。ＰＯＮ回線１〜Ｎは、光カプラ４−１〜４−Ｎにそれぞれ接続されている。各々のＰＯＮ回線は、対応の光カプラを介して複数のＯＮＵ２に接続されている。
【００３８】
局側装置１ａは、光スイッチ１１ａと、ＯＳＵ１〜Ｎ＋１（１２−１〜１２−Ｎ＋１）と、集線部１３ａと、ＯＬＴ制御部１４とを含む。局側装置１ａは、冗長構成を有している。図１に示した構成では、Ｎ＋１個のＯＳＵ１２のうち、ＯＳＵ１〜Ｎが運用系（現用）ＯＳＵであり、ＯＳＵ  Ｎ＋１が待機系（予備）ＯＳＵである。待機系ＯＳＵは、いずれかの運用系ＯＳＵに異常が発生した場合に、その運用系ＯＳＵと対応付けられたＰＯＮ回線を終端する。待機系ＯＳＵの個数は１に限定されず、２以上でもよい。
【００３９】
図１に示された構成では、１つのＯＳＵに接続されるＰＯＮ回線の数は１つである。しかし、１つのＯＳＵに複数のＰＯＮ回線が接続されていてもよい。以下においては、１つのＯＳＵに１つのＰＯＮ回線が接続された構成に基づいて第１の実施の形態を説明する。
【００４０】
光スイッチ１１ａは、ＯＬＴ制御部１４からの指示に従い、Ｎ＋１個のＯＳＵ１〜Ｎ＋１（１２−１〜１２−Ｎ＋１）と、Ｎ本のＰＯＮ回線１〜Ｎ（３−１〜３−Ｎ）との間の通信経路を切り替える。
【００４１】
集線部１３ａは、ＯＳＵ１〜Ｎ＋１（１２−１〜１２−Ｎ＋１）からの上りフレームを多重して上位ネットワーク（以下、アップリンクとも呼ぶ。）に送信する。さらに集線部１３ａは、アップリンクから受信した下りフレームを、適切なＯＳＵに振り分ける。
【００４２】
ＯＬＴ制御部１４は、ＯＬＴ１ａの動作を統括的に制御する。
図２は、光スイッチ１１ａの模式的な構成を示す図である。図２を参照して、光スイッチ１１ａにおいては、ＰＯＮ回線側のＮ本の光ファイバ（光ファイバ３−１，３−２，・・・，３−Ｎ）と、ＯＳＵ側のＮ本の光ファイバとは、光カプラ２３−１，２３−２，・・・，２３−Ｎをそれぞれ介して光学的に接続される。以下、これらのＮ組の光ファイバを、運用系光ファイバとも呼ぶ。ＯＳＵ側光ファイバは、上記のＮ本の光ファイバと、予備系光ファイバ３−Ｎ＋１とを含む合計（Ｎ＋１）本の光ファイバで構成される。
【００４３】
光カプラ２３−１，２３−２，・・・，２３−Ｎには、さらに、分岐用の光ファイバ２４−１，２４−２，・・・，２４−Ｎがそれぞれ光学的に接続される。接続部２５は、光ファイバ２４−１，２４−２，・・・，２４−Ｎのうちの１本を予備系光ファイバ３−Ｎ＋１に光学的に接続する。
【００４４】
接続部２５の構成は特に限定されるものではない。一例を示すと、接続部２５は、アクチュエータ２１によって駆動される可動ミラーを含むことができる。アクチュエータ２１は、ＯＬＴ制御部１４からの制御信号に従い、可動ミラーを移動させる。ＯＬＴ制御部１４からの制御信号は、ＯＳＵ冗長切り替えの有無および待機系ＯＳＵと接続するＰＯＮ回線の番号を示す。アクチュエータ２１は、この制御信号に基づいて可動ミラーを移動させる。
【００４５】
たとえばＯＳＵ１が故障した場合には、待機系ＯＳＵと接続するＰＯＮ回線としてＰＯＮ回線１が選択される。この場合、アクチュエータ２１は、予備系光ファイバ３−Ｎ＋１と、光ファイバ２４−１とが光学的に接続されるように、可動ミラーを移動させる。ＯＮＵからＰＯＮ回線１を通じて送られた光信号は、光カプラ２３−１によって、ＯＳＵ側光ファイバを伝送する光信号と、光ファイバ２４−１を伝送する光信号とに分配される。可動ミラーは、光ファイバ２４−１から出射された光信号を、予備系光ファイバ３−Ｎ＋１に入射するように方向付ける。
【００４６】
一方、可動ミラーは、予備ＯＳＵから予備系光ファイバ３−Ｎ＋１を通じて送られた光信号を、光ファイバ２４−１に入射するように方向付ける。光ファイバ２４−１に入射した光信号は、光カプラ２３−１を通り、ＰＯＮ回線３−１を伝送する。
【００４７】
なお、図２に示された構成から分かるように、現用ＯＳＵは、ＰＯＮ回線の光ファイバを通じてＯＮＵと常に接続されている。したがって、現用ＯＳＵに異常が生じた場合に強発光の影響を小さくするためには、その現用ＯＳＵの光送信部を確実に停止することが求められる。このための構成については以下に詳しく説明する。
【００４８】
図３は、ＯＳＵの構成例を示すブロック図である。なお、現用ＯＳＵと予備ＯＳＵとは基本的に同じ構成を有する。以下において、特に区別する必要がない限り、「ＯＳＵ」との名称は、現用ＯＳＵと予備ＯＳＵとの両方に適用される。
【００４９】
図３を参照して、ＯＳＵ１２は、電源供給部３０と、集線ＩＦ（Interface）部３１と、制御ＩＦ部３２と、受信処理部３３と、送信処理部３４と、光トランシーバ３５と、ローカル制御部３６と、上りフレームを蓄積するＦＩＦＯ１（３７）と、下りフレームを蓄積するＦＩＦＯ２（３８）と、記憶部３９と、電源停止部４０とを含む。
【００５０】
電源供給部３０は、外部の電源に接続されて、ＯＳＵ１２の各要素に電源電圧を供給する。ＯＬＴ制御部１４は、個々のＯＳＵに対して電源オンおよび電源オフを指示することができる。各ＯＳＵの電源供給部３０は、ＯＬＴ制御部１４からの電源オンの指示に応じて、ＯＳＵ１２の各要素に電源電圧を供給する。一方、各ＯＳＵは、ＯＬＴ制御部１４からの電源オフの指示に応じて、ＯＳＵ１２の各要素への電源電圧の供給を停止する。つまり、各ＯＳＵ１２の電源供給部３０は、そのＯＳＵへの電源供給を停止する。たとえば電源供給部３０は、ＯＬＴ制御部１４によってオンオフされるスイッチにより実現可能である。
【００５１】
光トランシーバ３５は、光ファイバを介して光スイッチ１１ａ（図１参照）に接続される。光トランシーバ３５は、特定の波長、たとえば１３１０ｎｍ帯の上り光信号を受信して、その光信号を電気信号に変換して受信処理部３３に出力する。一方、光トランシーバ３５は、送信処理部３４から出力される電気信号を別波長、たとえば１４９０ｎｍ帯の下り光信号に変換して、その光信号を光ファイバに送信する。光ファイバは、その光信号を伝搬する。これにより１本の光ファイバにおいて双方向の通信を行なうことができる。
【００５２】
受信処理部３３は、光トランシーバ３５から受けた電気信号からフレームを再構成するとともに、フレームの種別に応じて制御ＩＦ部３２、ローカル制御部３６またはＦＩＦＯ１（３７）にフレームを振り分ける。具体的には、受信処理部３３は、ユーザフレームをＦＩＦＯ１（３７）に出力し、ループバック試験などの特殊な制御フレームをローカル制御部３６に出力し、その他一般の制御フレームを制御ＩＦ部３２に出力する。
【００５３】
また、受信処理部３３は、どのロジカルリンクからフレームをいつ受信するかを示すグラント情報を送信処理部３４から受けて、グラント情報に示されていない受信フレームをフィルタリングする、すなわち廃棄するようにしてもよい。また、受信処理部３３は、ＭＰＣＰフレームに対して、受信時のタイムスタンプを上書きして出力するようにしてもよい。
【００５４】
集線ＩＦ部３１は、ＦＩＦＯ１（３７）に蓄積された上りフレームを集線部１３ａに送るとともに、集線部１３ａから受けた下りフレームをＦＩＦＯ２（３８）に蓄積する。このとき、集線ＩＦ部３１は、集線部１３ａの信号形式と内部信号形式との変換を行なってもよい。
【００５５】
送信処理部３４は、ＦＩＦＯ２（３８）、制御ＩＦ部３２またはローカル制御部３６が送信すべきフレーム／メッセージを有する場合、優先順位に従ってそのフレーム／メッセージを受け取り、フレームを組み立てて光トランシーバ３５に出力する。このとき、たとえばＭＰＣＰフレームに対して、送信時のタイムスタンプを上書きして出力するようにしてもよい。また、送信処理部３４は、制御ＩＦ部３２からのゲートメッセージに記されているグラント情報を受信処理部３３に出力する。
【００５６】
制御ＩＦ部３２は、受信処理部３３から受けた制御メッセージをＯＬＴ制御部１４に出力するとともに、ＯＬＴ制御部１４から受けた制御メッセージを送信処理部３４に出力する。このとき、制御ＩＦ部３２は、ＯＬＴ制御部１４の信号形式と内部信号形式との変換を行なってもよい。
【００５７】
基本的には、ＯＬＴ制御部１４がＰＯＮを管理運用する制御プロトコルを終端する。ただし、ＯＬＴ制御部１４の処理負荷を軽減するために、特定のプロトコルをローカル制御部３６が終端してもよい。
【００５８】
送信処理部３４は、たとえば送信フレーム数などの統計情報を収集し、制御ＩＦ部３２を介してＯＬＴ制御部１４に通知する。同様に、受信処理部３３は、たとえば受信フレーム数、受信信号の符号エラー数などの統計情報を収集し、制御ＩＦ部３２を介してＯＬＴ制御部１４に通知する。この統計情報は、ＯＳＵが冗長化された構成において、系の切り替え判断などを行なう際に使用される。たとえば、ある運用系ＯＳＵにおいて受信信号の符号エラー数が多い場合には、そのＯＳＵから待機系ＯＳＵに切り替えるなどの制御が行なわれる。
【００５９】
光トランシーバ３５は、自らの送信光レベルをモニタしている。故障および発光素子の経年劣化によって送信光レベルが規定範囲外となった場合に、光トランシーバ３５は、制御ＩＦ部３２を介してＯＬＴ制御部１４に警報を通知する。
【００６０】
記憶部３９は、ＯＳＵ１２の制御に必要な各種の情報を記憶する。記憶部３９は、たとえばＯＳＵ１２に接続されるＰＯＮ回線の情報を記憶する。ＰＯＮ回線の接続元を現用系ＯＳＵから待機系ＯＳＵに切換える際に、制御ＩＦ部３２は、記憶部３９からＰＯＮ回線の情報を読み出して、その情報を、ＯＬＴ１ａのＯＬＴ制御部１４へと転送する。ＯＬＴ制御部１４は、その情報を予備系ＯＳＵの制御ＩＦ部３２へと転送する。予備系ＯＳＵの制御ＩＦ部３２は、この情報を受け取り、予備系ＯＳＵの記憶部３９に情報を格納する。予備系ＯＳＵの制御ＩＦ部３２は、予備系ＯＳＵの記憶部３９に保存された情報に基づいて、ＰＯＮ回線を通じて複数のＯＮＵとの間で光信号を送受信する。
【００６１】
電源停止部４０は、制御ＩＦ部３２から送られる電源停止の指示に従って、光トランシーバ３５への電源電圧の供給を停止する。制御ＩＦ部３２は、ＯＬＴ制御部１４から、光トランシーバ３５の電源停止に関する指示を受ける。制御ＩＦ部３２は、電源停止の指示を電源停止部４０に送る。電源停止部４０は、この指示に従って光トランシーバ３５への電源電圧の供給を停止する。
【００６２】
図４は、図１に示したＯＬＴ制御部１４の構成を示した機能ブロック図である。図４を参照して、ＯＬＴ制御部１４は、異常検出回路４１と、電源制御回路４２と、切換制御回路４３と、予備系制御回路４４とを含む。
【００６３】
異常検出回路４１は、現用ＯＳＵの制御ＩＦ部３２との間で通信を行なう。図４では現用ＯＳＵとして代表的にＯＳＵ１２−１（ＯＳＵ  １）を示す。制御ＩＦ部３２は、光トランシーバ３５との間で通信を行なう。異常検出回路４１は、現用ＯＳＵの光トランシーバ３５の状態に関する情報および、現用ＯＳＵの全体（たとえば光トランシーバ３５以外の構成要素）に関する情報を、制御ＩＦ部３２を通じて取得する。異常検出回路４１は、この情報に基づいて、現用ＯＳＵの異常を検出する。
【００６４】
電源制御回路４２は、異常検出回路４１の検出結果に基づいて、現用ＯＳＵおよび予備ＯＳＵ（ＯＳＵ１２−Ｎ＋１）に対する電源供給を制御する。具体的には、異常検出回路４１によって現用ＯＳＵの異常が検出された場合、電源制御回路４２は、その現用ＯＳＵへの電源供給を停止する。
【００６５】
現用ＯＳＵの電源供給が停止される場合には、電源制御回路４２は、まず、光トランシーバ３５の電源停止を指示する。次に、現用ＯＳＵ全体の電源を停止する。なお、予備ＯＳＵの電源供給が開始される際の処理の手順は、特に限定されるものではない。たとえば電源制御回路４２は、現用ＯＳＵへの電源供給が停止する前に、予備ＯＳＵへの電源供給を開始する。
【００６６】
切換制御回路４３は、光スイッチ１１ａを制御する。光スイッチ１１ａは、ＰＯＮ回線３−１の接続元を現用ＯＳＵ（ＯＳＵ１２−１）から予備ＯＳＵ（ＯＳＵ１２−Ｎ＋１）へと切換える。
【００６７】
予備系制御回路４４は、予備ＯＳＵの動作を制御する。具体的には、予備系制御回路４４は、現用ＯＳＵの記憶部３９から情報を読出して、その読出された情報を予備ＯＳＵへと転送する。予備ＯＳＵは、その情報を予備ＯＳＵの記憶部３９に記憶する。予備系制御回路４４は、予備ＯＳＵが、その内部に記憶された情報に基づいて動作するように予備ＯＳＵを制御する。これにより予備ＯＳＵは、正常時の現用ＯＳＵと同様に動作する。
【００６８】
なお、図４に示された構成において、異常検出回路４１、電源制御回路４２、切換制御回路４３および予備系制御回路４４は、本発明に係る局側装置の「異常検出部」、「停止指示部」、「切換部」および「制御部」をそれぞれ実現する。さらに、この実施の形態では、図３に示された電源供給部３０は、本発明に係る局側装置の「電源停止部」を実現する。
【００６９】
図５は、図３に示した光トランシーバ３５の構成例を示したブロック図である。図５を参照して、光トランシーバ３５は、光デバイス５１と、温度センサ５２ａと、送信回路５４と、受信回路５７と、コントローラ６０とを備える。
【００７０】
光デバイス５１は、レーザダイオード（ＬＤ）５２と、フォトダイオード（ＰＤ）５３とを含む。レーザダイオード５２は、送信回路５４から供給された電源電圧および制御電圧を受ける。レーザダイオード５２は、送信回路５４から送られた電気信号（送信信号）を光信号に変換して、その光信号を、図示しない光スイッチを介してＰＯＮ回線に出力する。
【００７１】
フォトダイオード５３は、受信回路５７から供給された電源電圧および制御電圧を受ける。フォトダイオード５３は、図示しない光スイッチを介してＰＯＮ回線から光信号を受信して、その光信号を電気信号に変換する。フォトダイオード５３は、その電気信号を受信信号として受信回路５７に出力する。
【００７２】
温度センサ５２ａは、光デバイス５１の温度を検出して、検出された温度を示す信号をコントローラ６０へと送信する。
【００７３】
送信回路５４は、レーザダイオード５２に電源電圧および制御電圧を供給するためのドライバ５５を含む。さらに、送信回路５４は、Ｄ／Ａコンバータ（ＤＡＣ）５６を含む。Ｄ／Ａコンバータ５６は、信号処理回路６４から送られたデジタルの送信信号を、アナログ信号に変換する。ドライバ５５は、そのアナログ信号をレーザダイオード５２に供給する。さらに送信回路５４は、送信回路５４あるいはレーザダイオード５２の状態を表わすモニタ電圧を、コントローラ６０に出力する。このモニタ電圧は、たとえばレーザダイオード５２の出力光強度を示す電圧である。
【００７４】
受信回路５７は、フォトダイオード５３に電源電圧および制御電圧を供給する。受信回路５７は、アンプ５８およびＡ／Ｄコンバータ（ＡＤＣ）５９を含む。アンプ５８は、フォトダイオード５３から送られた受信信号（アナログ信号）を増幅する。Ａ／Ｄコンバータ５９は、その増幅されたアナログ信号をデジタル信号に変換する。受信回路５７は、そのデジタル信号を信号処理回路６４に出力する。さらに受信回路５７は、受信回路５７あるいはフォトダイオード５３の状態を表わすモニタ電圧をコントローラ６０に出力する。このモニタ電圧は、たとえばフォトダイオード５３の受信光強度を示す電圧である。
【００７５】
コントローラ６０は、光トランシーバ３５を統括的に制御する。このために、コントローラ６０は、送信回路５４および受信回路５７の各々に制御信号および制御電圧を供給する。さらにコントローラ６０は、送信回路５４および受信回路５７の各々からのモニタ電圧と、温度センサ５２ａからの信号とに基づいて、光トランシーバ３５の状態を監視する。さらにコントローラ６０は、ＯＳＵ制御回路６２からの要求に応じて、光トランシーバ３５に関する情報を、ＯＳＵ制御回路６２に送信する。
【００７６】
ＯＳＵ制御回路６２は、光トランシーバ３５のコントローラ６０から、光トランシーバ３５に関する情報を受信する。ＯＳＵ制御回路６２は、この情報をＯＬＴ制御部１４に送信する。光トランシーバ３５に関する情報が光トランシーバ３５の異常を示す場合には、ＯＳＵ制御回路６２は、ＯＬＴ制御部１４から光トランシーバ３５の電源停止に関する指示を受ける。ＯＳＵ制御回路６２は、この指示に従って電源停止部４０を制御する。電源停止部４０は、光トランシーバ３５への電源電圧の供給を停止する。
【００７７】
ＯＳＵ１２の異常時には、ＯＬＴ制御部１４は、まず、光トランシーバ３５の電源停止を指示する。これにより光トランシーバ３５を停止させることができる。したがって光トランシーバ３５からの光信号の出力を停止させることができる。次に、ＯＬＴ制御部１４は、電源供給部３０を制御して、ＯＳＵ１２への電源電圧の供給を停止する。すなわちＯＬＴ制御部１４は、ＯＳＵ１２を停止させる。これにより、光トランシーバ３５からの光信号の出力を確実に停止させることができる。
【００７８】
ＯＳＵ制御回路６２は、たとえば、図３に示された制御ＩＦ部３２と、ローカル制御部３６とを含む。信号処理回路６４は、図３に示された、受信処理部３３と、送信処理部３４と、ＦＩＦＯ１（３７）と、ＦＩＦＯ２（３８）と、集線ＩＦ部３１とを含む。ＯＳＵ制御回路６２、信号処理回路６４および記憶部３９の各々は、たとえば半導体集積回路によって実現される。なお記憶部３９は、揮発性のメモリでもよく、不揮発性のメモリでもよい。これらの半導体集積回路および光トランシーバは、たとえば回路基板に実装される。回路基板は、たとえばラックに挿入される。
【００７９】
図５に示す構成では、電源停止部４０とＯＳＵ制御回路６２とは分離されている。ただし電源停止部４０とＯＳＵ制御回路６２とが一体化されていてもよい。
【００８０】
図６は、図１に示したＯＮＵ２の概略構成を示すブロック図である。図６を参照して、ＯＮＵ２は、通信制御部７０と、受信部７１と、バッファメモリ７２，７８と、フレーム取出部７３と、光トランシーバ７５と、フレーム振分部７７と、送信部７９とを含む。
【００８１】
受信部７１は、宅側ネットワーク１１０から受信した上りデータフレームをバッファメモリ７２に転送する。バッファメモリ７２は、受信部７１から送られた上りデータフレームを蓄積する。フレーム取出部７３は、ユーザフレームおよび制御フレームを一定の規則に従って取り出して、その取り出したフレームを光トランシーバ７５に送る。光トランシーバ７５は、フレーム取出部７３からのフレームを光信号に変換して、ＰＯＮ回線３へその光信号を送信する。
【００８２】
さらに光トランシーバ７５は、ＯＬＴ１ａから送信されたデータフレームまたは制御フレームをＰＯＮ回線３を介して受信する。光トランシーバ７５は、それらのフレームを光信号の形式で受信する。光トランシーバ７５は、光信号を電気信号に変換し、さらにフレームのヘッダ部分を読取る。フレームに含まれるＬＬＩＤ（Logical Link ID）がＯＮＵ２のＬＬＩＤに一致する場合には、光トランシーバ７５はそのフレームを受信し、そうでない場合には、光トランシーバ７５は、そのフレームを破棄する。
【００８３】
フレーム振分部７７は、フレームのヘッダ部分を読取り、それによって、光トランシーバ７５により受信されたフレームが、データフレームおよび制御フレームのいずれであるかを判定する。データフレームはフレーム振分部７７からバッファメモリ７８へと転送される。制御フレームはフレーム振分部７７から通信制御部７０へと転送される。
【００８４】
バッファメモリ７８は、フレーム振分部７７から転送されたデータフレームを蓄積する。送信部７９は、バッファメモリ７８に蓄積されたデータフレームを宅側ネットワーク１１０に送信する。通信制御部７０は、一般的なＰＯＮシステムにおける通信制御（たとえば動的帯域割当（ＤＢＡ）など）を実行する。
【００８５】
図７は、図６に示した、ＯＮＵ２の光トランシーバ７５の構成を示したブロック図である。図７を参照して、光トランシーバ７５は、光デバイス８１と、送信回路８４と、受信回路８７と、コントローラ８０とを備える。光デバイス８１は、レーザダイオード（ＬＤ）８２と、フォトダイオード（ＰＤ）８３とを含む。
【００８６】
光トランシーバ７５の構成は、基本的には図５に示した光トランシーバ３５の構成と同じである。レーザダイオード８２は、送信回路８４から供給された電源電圧および制御電圧を受ける。レーザダイオード８２は、送信回路８４から送られた電気信号（送信信号）を光信号に変換して、その光信号をＰＯＮ回線に出力する。
【００８７】
送信回路８４は、レーザダイオード８２に電源電圧および制御電圧を供給するためのドライバ８５と、Ｄ／Ａコンバータ（ＤＡＣ）８６とを含む。Ｄ／Ａコンバータ５６は、デジタルの送信信号（フレーム）を、アナログ信号に変換する。ドライバ８５は、そのアナログ信号をレーザダイオード８２に供給する。さらに送信回路８４は、送信回路８４あるいはレーザダイオード８２の状態を表わすモニタ電圧を、コントローラ９０に出力する。このモニタ電圧は、たとえばレーザダイオード８２の出力光強度を示す電圧である。
【００８８】
フォトダイオード８３は、受信回路８７から供給された電源電圧および制御電圧を受ける。フォトダイオード８３は、ＰＯＮ回線から光信号を受信して、その光信号を電気信号に変換する。フォトダイオード８３は、その電気信号を受信信号として受信回路８７に出力する。
【００８９】
受信回路８７は、アンプ８８およびＡ／Ｄコンバータ（ＡＤＣ）８９を含む。アンプ８８は、フォトダイオード８３から送られた受信信号（アナログ信号）を増幅する。Ａ／Ｄコンバータ８９は、その増幅されたアナログ信号をデジタル信号に変換する。受信回路８７は、そのデジタル信号（すなわちフレーム）を出力する。さらに受信回路８７は、受信回路８７あるいはフォトダイオード８３の状態を表わすモニタ電圧をコントローラ９０に出力する。このモニタ電圧は、たとえばフォトダイオード８３の受信光強度を示す電圧である。
【００９０】
通常では、フォトダイオード８３がＯＬＴ１ａから受信する光信号の強度は小さい。このため、フォトダイオード８３には、たとえばＡＰＤ（アバランシェフォトダイオード）といった、高い感度を有する受光素子が用いられる。
【００９１】
ＯＬＴ１ａの現用ＯＳＵに異常が生じた場合には、その現用ＯＳＵにおいて光トランシーバ３５の正常な動作を確保することが難しくなる。たとえば光トランシーバ３５から出力される光信号の強度を制御することができなくなる可能性がある。この場合、光トランシーバ３５において強発光が生じる可能性がある。
【００９２】
現用ＯＳＵの光トランシーバ３５において強発光が生じた場合、ＯＮＵ２の受光素子が通常よりも強い光を受ける。このため、ＯＮＵ２の受光素子が損傷する可能性がある。あるいはＯＬＴ１ａとＯＮＵ２との間の回線が一時的に切断される可能性が考えられる。第１の実施の形態によれば、以下に説明する処理によって、ＯＬＴの異常時の強発光によるＯＮＵへの影響を小さくすることができる。
【００９３】
図８は、第１の実施の形態に係る、現用ＯＳＵから予備ＯＳＵへの切換処理を説明するためのフローチャートである。この処理は、たとえば図１に示されるＯＬＴ制御部１４によって実行される。
【００９４】
図８を参照して、ステップＳ１において、ＯＬＴ制御部１４は、すべての現用ＯＳＵについて異常の有無をチェックする。ステップＳ２において、ＯＬＴ制御部１４は、すべての現用ＯＳＵのうちのいずれかのＯＳＵに異常があるかどうかを判定する。すべての現用ＯＳＵが正常であると判定された場合（ステップＳ２においてＮＯ）、ステップＳ６において、ＯＬＴ制御部１４は各々の現用ＯＳＵ１２の記憶部３９（図３を参照）に記憶されている情報を読出す。この情報はＯＳＵ１２の制御に必要な各種の情報を含む。たとえば記憶部３９は、ＯＳＵ１２に接続されるＰＯＮ回線の情報を記憶する。
【００９５】
ステップＳ６において、ＯＬＴ制御部１４は、さらに、各々の現用ＯＳＵ１２から読出された情報を、予備ＯＳＵ１２の記憶部３９に記憶させる。すなわち、ＯＬＴ制御部１４は、現用ＯＳＵ１２に記憶されている情報を予備ＯＳＵ１２の記憶部にバックアップする。
【００９６】
ステップＳ６の処理が終了すると、全体の処理は一旦終了して、再びステップＳ１の処理が開始される。すなわち、すべての現用ＯＳＵが正常である場合には、ステップＳ６の処理が繰り返して実行される。これにより、すべての現用ＯＳＵに異常が無い場合には、予備ＯＳＵ１２に記憶されている各々の現用ＯＳＵの情報が、最新の情報に更新される。たとえば予備ＯＳＵ１２に記憶されている情報は、一定の周期で定期的に更新される。ただし、情報の更新の時間間隔が一定である必要はない。
【００９７】
いずれかの現用ＯＳＵが異常であると判定された場合（ステップＳ２においてＹＥＳ）、ＯＬＴ制御部１４は、異常が検出された現用ＯＳＵの光出力を停止する（ステップＳ３）。たとえば図１に示すＯＳＵ１２−１（ＯＳＵ  １）において異常が検出される。
【００９８】
ステップＳ４において、ＯＬＴ制御部１４は、光スイッチ１１ａの通信経路を切換える。具体的には、光スイッチ１１ａは、ＰＯＮ回線１の接続元を、異常のある現用ＯＳＵ（ＯＳＵ  １）から予備ＯＳＵ（ＯＳＵ  Ｎ＋１）へと切り替える。光スイッチ１１ａは、ＯＬＴ制御部１４により制御される。
【００９９】
ステップＳ５において、ＯＬＴ制御部１４は、予備ＯＳＵからの光出力を開始させる。
図９は、図８に示したステップＳ１の処理（現用ＯＳＵのチェック）を説明するためのフローチャートである。この処理は、たとえば図１に示されるＯＬＴ制御部１４によって実行される。なお、ＯＬＴ制御部１４は、各ＯＳＵに対して図９に示す処理を実行する。
【０１００】
図９を参照して、ＯＬＴ制御部１４は、現用ＯＳＵの制御ＩＦ部３２と通信する。ステップＳ１２において、ＯＬＴ制御部１４は、現用ＯＳＵの制御ＩＦ部３２との間の通信が正常であるか否かを判定する。
【０１０１】
たとえば、ＯＬＴ制御部１４から現用ＯＳＵに信号を送る。その信号に対する応答が現用ＯＳＵから返らない場合には、ＯＬＴ制御部１４は、現用ＯＳＵの制御ＩＦ部３２との間の通信が異常であると判定する。この場合（ステップＳ１２においてＮＯ）、処理はステップＳ１８に進む。ステップＳ１８において、ＯＬＴ制御部１４は、現用ＯＳＵの異常を検出する。
【０１０２】
ＯＬＴ制御部１４と現用ＯＳＵの制御ＩＦ部３２との間の通信が正常であると判定された場合（ステップＳ１２においてＹＥＳ）、処理はステップＳ１３に進む。ステップＳ１３において、ＯＬＴ制御部１４は、光トランシーバ３５からの情報を取得する。
【０１０３】
図５に示されるように、光トランシーバ３５は、コントローラ６０を有する。コントローラ６０は光トランシーバ３５をモニタして、そのモニタ結果を示す情報をＯＳＵ制御回路６２（制御ＩＦ部３２を含む）に送る。
【０１０４】
コントローラ６０は、たとえばＬＤ５２の出力光強度、光トランシーバ３５の温度をモニタする。ステップＳ１３において、ＯＳＵ制御回路６２は、光トランシーバ３５からの情報を取得して、その情報をＯＬＴ制御部１４に転送する。
【０１０５】
ステップＳ１４において、ＯＬＴ制御部１４は、光トランシーバ３５からの情報に基づいて、光トランシーバ３５が正常か否かを判定する。たとえば、光トランシーバ３５が正常ではないと判定された場合に、ＯＬＴ制御部１４は、光トランシーバ３５の異常を検出する。たとえば光トランシーバ３５の温度が、通常の動作温度の範囲として定められた範囲を外れた場合に、ＯＬＴ制御部１４は光トランシーバ３５の異常を検出する。別の例では、光トランシーバ３５から出力される光信号の強度が、予め定められた上限値を超えた場合に、ＯＬＴ制御部１４は光トランシーバ３５の異常を検出する。さらに、光トランシーバ３５の異常時（たとえばコントローラ６０の異常時）には、光トランシーバ３５からの情報を取得できないことが考えられる。したがって、光トランシーバ３５からの情報を取得できない場合にも、制御部は、光トランシーバ３５の異常を判定する。
【０１０６】
なお、ＯＬＴ制御部１４は、単に、光トランシーバ３５が異常であることを検出してもよい。あるいはＯＬＴ制御部１４は、光トランシーバ３５の異常の種類を特定してもよい。
【０１０７】
光トランシーバ３５が正常であると判定される場合（ステップＳ１４においてＹＥＳ）、処理はステップＳ１５に進む。一方、光トランシーバ３５の異常が検出される場合、すなわち、光トランシーバ３５が正常ではないと判定される場合（ステップＳ１４においてＮＯ）、処理はステップＳ１８に進む。
【０１０８】
ステップＳ１５において、ＯＬＴ制御部１４は、現用ＯＳＵ１２の制御ＩＦ部３２からの情報を取得する。制御ＩＦ部３２は、現用ＯＳＵ１２全体（たとえば図５に示す信号処理回路６４など）の異常の有無を監視して、その監視結果をＯＬＴ制御部１４に送信する。
【０１０９】
ステップＳ１６において、ＯＬＴ制御部１４は、制御ＩＦ部３２からの情報に基づいて、現用ＯＳＵ１２全体が正常であるか否かを判定する。たとえば信号処理回路６４（図５参照）が異常であることを示す情報を取得した場合に、ＯＬＴ制御部１４は、現用ＯＳＵ１２に異常があると判定する。また、制御ＩＦ部３２の動作が不安定（あるいは異常）である場合には、制御ＩＦ部３２からの情報が正確でない可能性がある。この場合にもＯＬＴ制御部１４は、ＯＬＴ制御部１４は現用ＯＳＵ１２に異常があると判定する。
【０１１０】
現用ＯＳＵ１２の全体が正常であると判定される場合（ステップＳ１６においてＹＥＳ）、全体の処理は終了する。一方、現用ＯＳＵ１２に異常があると判定される場合（ステップＳ１６においてＮＯ）、処理はステップＳ１８に進む。ステップＳ１８において、ＯＬＴ制御部１４は、ＯＳＵの異常を検出する。
【０１１１】
図１０は、図８のステップＳ３の処理（現用ＯＳＵの光出力の停止）を説明するためのフローチャートである。この処理は、たとえば、図１に示すＯＬＴ１ａのＯＬＴ制御部１４と、図５に示すＯＳＵ制御回路６２および電源停止部４０とによって実行される。
【０１１２】
図１０を参照して、ステップＳ２１において、ＯＬＴ制御部１４は、現用ＯＳＵに対して光トランシーバ３５の電源停止を指示する。ＯＳＵ制御回路６２は、電源停止部４０に対して、光トランシーバの電源停止を指示する。電源停止部４０は、ＯＳＵ制御回路６２からの指示に従って、光トランシーバ３５への電源電圧の供給を停止する。
【０１１３】
ステップＳ２２において、ＯＬＴ制御部１４は、光トランシーバ３５の光出力が停止したか否かを判定する。たとえば、ＯＳＵ制御回路６２は、光トランシーバ３５のコントローラ６０からの信号の送信が停止したことにより、光トランシーバ３５の光出力が停止したと判定する。ＯＳＵ制御回路６２は、ＯＬＴ制御部１４に光トランシーバ３５の状態に関する情報を送信する。これによりＯＬＴ制御部１４は、光トランシーバ３５の光出力が停止したことを判定することができる。この場合（ステップＳ２２においてＹＥＳ）、処理はステップＳ２３に進む。
【０１１４】
ステップＳ２３において、ＯＬＴ制御部１４は、現用ＯＳＵの記憶部３９に記憶されている情報を読出す。ステップＳ２３の処理は、ステップＳ６（図８を参照）の処理と基本的に同じである。ステップＳ２３の後、処理はステップＳ２４に進む。
【０１１５】
一方、たとえば、ＯＳＵ制御回路６２が電源停止部４０を正しく制御できない場合には、光トランシーバ３５からの光出力が継続される。また、たとえば電源停止部４０が故障した場合には、ＯＳＵ制御回路６２が正常であっても、光トランシーバ３５の電源停止が不能となる。
【０１１６】
ＯＬＴ制御部１４は、ＯＳＵ制御回路６２との通信の結果に基づいて、光トランシーバ３５の光出力が停止していないことを判定することができる。たとえば、ＯＳＵ制御回路６２から電源停止部４０の故障を示す情報がＯＬＴ制御部１４に送信された場合には、ＯＬＴ制御部１４は、光トランシーバ３５からの光出力が停止されていないと判定する。あるいは、ＯＬＴ制御部１４とＯＳＵ制御回路６２との間の通信が正常でない場合には、ＯＬＴ制御部１４は、光トランシーバ３５からの光出力が停止されていないと判定する。光トランシーバ３５からの光出力が停止されていないと判定された場合（ステップＳ２２においてＮＯ）、ステップＳ２３の処理はスキップされる。この場合には、ステップＳ２４の処理が実行される。
【０１１７】
ステップＳ２４において、ＯＬＴ制御部１４は、現用ＯＳＵの電源供給を停止する。現用ＯＳＵの電源供給部３０は、ＯＬＴ制御部１４からの電源オフの指示に応じて、現用ＯＳＵの各要素への電源電圧の供給を停止する。
【０１１８】
なお、ステップＳ２２においてＮＯの場合には、ステップＳ２３の処理を実行できない。ただし、現用ＯＳＵが異常になる前に、ステップＳ６（図８）の処理が繰り返し実行されているため、予備ＯＳＵの記憶部３９には、現用ＯＳＵが異常になる直前における、当該現用ＯＳＵの情報が記憶されている。通信回線が切換られた後、予備ＯＳＵは、その情報に従って動作する。
【０１１９】
第１の実施の形態によれば、現用ＯＳＵの異常時に、まず光トランシーバの電源供給の停止が指示される。現用ＯＳＵの異常時には光トランシーバの制御が不能になっている可能性がある。したがって光トランシーバから送出される光信号の強度も正しく制御されていない可能性がある。
【０１２０】
たとえば光トランシーバから送出される光信号の強度が大きすぎることにより、その光信号を受信するＯＮＵ２への影響が生じる。具体的にはＯＮＵ２の受光素子が強発光により損傷を受ける可能性がある。光トランシーバの電源供給の停止がまず指示されることにより、強発光が生じる可能性を小さくすることができる。あるいは強発光の生じる時間を短くすることができる。したがって、ＯＮＵ２への影響（たとえば受光素子が損傷を受ける可能性）を小さくすることができる。
【０１２１】
さらに、光トランシーバの電源供給の停止がまず指示されることにより、現用ＯＳＵの他の部分の動作を継続させることができる。現用ＯＳＵに記憶されている情報が読出される。これにより、現用ＯＳＵに記憶された情報が失われることを防ぐことができる。現用ＯＳＵから読出された情報は、予備ＯＳＵへと転送される。したがって、現用ＯＳＵに記憶された情報が確実に予備ＯＳＵへと転送される。たとえば、現用ＯＳＵの故障直前に、ＯＮＵがリンクダウンして現用ＯＳＵに記憶された情報が変更された場合でも、予備ＯＳＵを正確な情報に基づいて動作させることができる。
【０１２２】
さらに、光トランシーバの電源停止が指示されたにも関わらず光トランシーバの光出力が停止していない場合には、現用ＯＳＵの電源供給が停止される。これにより、光トランシーバの光出力をより確実に停止させることができる。
【０１２３】
さらに、現用ＯＳＵが正常であるときに、情報が現用ＯＳＵから予め読出される。現用ＯＳＵの異常時において、現用ＯＳＵからの情報の読出しが成功しない可能性がある。また、光トランシーバ３５の光出力の停止を優先させるために、現用ＯＳＵから情報を読出す途中、あるいは現用ＯＳＵから情報を読出す前に、現用ＯＳＵの電源供給を停止することも起こり得る。このような場合であっても、現用ＯＳＵから予め読出された情報に基づいて予備ＯＳＵを動作させることができる。
【０１２４】
［実施の形態２］
第２の実施の形態は、現用ＯＳＵの光出力の停止処理の点において、第１の実施の形態と異なる。第２の実施の形態に係るＯＬＴの構成は、第１の実施の形態に係るＯＬＴの構成と同じであるので以後の説明は繰り返さない。さらに、現用ＯＳＵから予備ＯＳＵへの切換処理および現用ＯＳＵのチェック処理は、実施の形態１において説明される処理と同じである。
【０１２５】
図１１は、第２の実施の形態に係る、現用ＯＳＵの光出力の停止処理を説明するためのフローチャートである。図１１の処理は図１０に示された処理と対比される。図１０および図１１を参照して、第２の実施の形態は、ステップＳ２２の処理が省略される点において、第１の実施の形態と異なる。ステップＳ２１，Ｓ２３，Ｓ２４の各ステップの処理は、第１および第２の実施の形態で同じである。
【０１２６】
第２の実施の形態では、まず、ＯＬＴ制御部１４は、現用ＯＳＵに対して光トランシーバ３５の電源停止を指示する（ステップＳ２１）。次に、ＯＬＴ制御部１４は、現用ＯＳＵの記憶部３９に記憶されている情報を読出す（ステップＳ２３）。続いてＯＬＴ制御部１４は、現用ＯＳＵの電源供給を停止する（ステップＳ２４）。なお、ＯＳＵ制御回路６２の異常により現用ＯＳＵの記憶部３９から情報を読出すことができない場合には、ステップＳ２１からステップＳ２４に処理が進んでもよい。第１の実施の形態と同じく、現用ＯＳＵが異常になる前には、現用ＯＳＵの記憶部から繰り返し情報が読出されて、予備ＯＳＵの記憶部にその情報が格納される（図８のステップＳ６の処理）。したがって、予備ＯＳＵは、その情報に基づいて、ＯＮＵとの間で光通信を行なうことができる。
【０１２７】
第２の実施の形態によれば、第１の実施の形態による効果と同じ効果を得ることができる。さらに第２の実施の形態によれば、現用ＯＳＵの光出力を停止させるための処理を、第１の実施の形態に比べて簡素化することができる。
【０１２８】
［実施の形態３］
第３の実施の形態は、ＯＬＴの光トランシーバの構成の点において、第１の実施の形態と異なる。第３の実施の形態に係るＯＬＴの他の部分の構成は第１の実施の形態に係るＯＬＴの構成と同じであるので以後の説明は繰り返さない。
【０１２９】
図１２は、第３の実施の形態に係る、ＯＬＴの光トランシーバの構成を示したブロック図である。図５および図１２を参照して、第３の実施の形態において、光トランシーバ３５は、電源停止部４０を内蔵する。この点で、第３の実施の形態は第１の実施の形態と異なる。
【０１３０】
光トランシーバ３５のコントローラ６０は、ＯＳＵ制御回路６２を介して、制御部１４から、光トランシーバ３５の電源停止の指示を受ける。コントローラ６０は、この指示に従って電源停止部４０を制御する。電源停止部４０は、コントローラ６０の制御により、光トランシーバ３５の内部の各ブロックへの電源電圧の供給を停止する。
【０１３１】
なお、第３の実施の形態において、現用ＯＳＵから予備ＯＳＵへの切換処理、現用ＯＳＵのチェック処理および現用ＯＳＵの光出力の停止処理は、実施の形態１において説明される処理と同じである。現用ＯＳＵの光出力の停止処理は、図１０および図１１のいずれに示されたフローに従って実行されてもよい。
【０１３２】
第３の実施の形態によれば、第１の実施の形態あるいは第２の実施の形態と同様の効果を得ることができる。
【０１３３】
［実施の形態４］
第４の実施の形態は、ＯＬＴの構成の点において、第１の実施の形態と異なる。図１３は、第４の実施の形態に係るＯＬＴの構成を示したブロック図である。
図１および図１３を参照して、第４の実施の形態において、各ＯＳＵの電源供給部３０が統合される。電源供給部３０は、ＯＳＵ１２−１〜１２−Ｎ＋１の各々に電源電圧を供給する。
【０１３４】
図１４は、第４の実施の形態に係るＯＳＵの構成を示したブロック図である。図１４を参照して、電源供給部３０は、制御部１４の指示に従って、ＯＳＵごとに電源オンおよび電源オフを制御することができる。すなわち、電源オンおよび電源オフの制御は、複数のＯＳＵの間で互いに独立している。
【０１３５】
なお、第４の実施の形態に係るＯＳＵの他の部分の構成は、第１の実施の形態に係るＯＳＵの構成と同じである。ただし、光トランシーバ３５の構成として、第３の実施の形態に係る光トランシーバ３５の構成（図１２を参照）を適用することができる。
【０１３６】
また、第４の実施の形態において、現用ＯＳＵから予備ＯＳＵへの切換処理、現用ＯＳＵのチェック処理および現用ＯＳＵの光出力の停止処理は、実施の形態１において説明される処理と同じである。現用ＯＳＵの光出力の停止処理は、図１０および図１１のいずれに示されたフローに従って実行されてもよい。
【０１３７】
第４の実施の形態によれば、第１の実施の形態あるいは第２の実施の形態と同様の効果を得ることができる。さらに、ＯＳＵに電源供給部が設けられていないため、ＯＳＵの構成を簡素化できる。
【０１３８】
なお、上記の各実施の形態では、光トランシーバが光信号の送信と光信号の受信との両方を行なう構成を示した。すなわち、光トランシーバは、本発明の構成要素である「光信号送信部」を実現する。しかしながら、ＯＳＵは、光トランシーバに代えて、光信号の送信の機能を有する光信号送信部と、光信号の受信の機能を有する光信号受信部とを備えていてもよい。
【０１３９】
今回開示された実施の形態はすべての点で例示であって制限的なものでないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４０】
１ａ  局側装置（ＯＬＴ）、２  宅側装置（ＯＮＵ）、３−１〜３−Ｎ  ＰＯＮ回線、４−１〜４−Ｎ，２３−１〜２３−Ｎ  光カプラ、１１ａ  光スイッチ、１２−１〜１２−Ｎ＋１  光回線ユニット（ＯＳＵ）、１３ａ  集線部、１４  ＯＬＴ制御部、２１  アクチュエータ、２４−１〜２４−Ｎ  光ファイバ（分岐用）、２５  接続部、３０  電源供給部、３１  集線ＩＦ部、３２  制御ＩＦ部、３３  受信処理部、３４  送信処理部、３５，７５  光トランシーバ、３６  ローカル制御部、３７  ＦＩＦＯ１、３８  ＦＩＦＯ２、３９  記憶部、４０  電源停止部、４１  異常検出回路、４２  電源制御回路、４３  切換制御回路、４４  予備系制御回路、５１，８１  光デバイス、５２，８２  レーザダイオード、５２ａ  温度センサ、５３，８３  フォトダイオード、５４，８４  送信回路、５５，８５  ドライバ、５６，８６  Ｄ／Ａコンバータ、５７，８７  受信回路、５８，８８  アンプ、５９，８９  Ａ／Ｄコンバータ、６０，９０  コントローラ、６２  ＯＳＵ制御回路、６４  信号処理回路、７０  通信制御部、７１  受信部、７２，７８  バッファメモリ、７３  フレーム取出部、７７  フレーム振分部、７９  送信部、１０１  ＰＯＮシステム，１１０  宅側ネットワーク。
【図１】
2014068213.tif 000003
【図２】
2014068213.tif 000004
【図３】
2014068213.tif 000005
【図４】
2014068213.tif 000006
【図５】
2014068213.tif 000007
【図６】
2014068213.tif 000008
【図７】
2014068213.tif 000009
【図８】
2014068213.tif 000010
【図９】
2014068213.tif 000011
【図１０】
2014068213.tif 000012
【図１１】
2014068213.tif 000013
【図１２】
2014068213.tif 000014
【図１３】
2014068213.tif 000015
【図１４】
2014068213.tif 000016